(57)【要約】  タッチセンシティブ・パネルと共に使用するためのキーパッドであって、このキーパッドは、タッチセンシティブ・パネルを囲み、タッチセンシティブ・パネルの上方にフレームにより懸架された複数のボタンを含むフレームを含み、ボタンの各々は、上方から圧力が加えられたときにフレームを通って下降される剛性部材と、上方からの圧力が解放されたときに剛性部材を上昇させるための、剛性部材及びフレームに取り付けられた弾性体とを含み、剛性部材はフレームの下方に露出される。【選択図】      図１
2014528119.tif 000002
【特許請求の範囲】
【請求項１】
タッチセンシティブ・パネルと共に使用するためのキーパッドであって、
前記タッチセンシティブ・パネルを囲み、前記タッチセンシティブ・パネルの上方にフレームにより懸架された複数のボタンを含むフレームを含み、前記ボタンの各々は、
上方から圧力が加えられたときに前記フレームを通って下降される剛性部材と、
前記上方からの前記圧力が解放されたときに前記剛性部材を上昇させるための、前記剛性部材及び前記フレームに取り付けられた弾性体と、
を含み、
前記剛性部材は前記フレームの下方に露出される、
ことを特徴とするキーパッド。
【請求項２】
前記フレームの裏面は、前記フレームを前記パネルの上方に位置合わせするために、前記タッチセンシティブ・パネルのハウジング内の対応する磁気凹面ソケットに挿入するための少なくとも１つの磁気ボール・ファスナを含むことを特徴とする、請求項１に記載のキーパッド。
【請求項３】
前記フレームの前記裏面は、前記フレームを前記パネルの上方に位置合わせするために、前記タッチセンシティブ・パネルのハウジング内の対応する複数のキャビティに挿入するための複数の脚部を含むことを特徴とする、請求項１に記載のキーパッド。
【請求項４】
前記フレームの前記裏面は、前記フレームを前記パネルの上方に固定するために、前記タッチセンシティブ・パネルのハウジングを解放可能に把持するための複数のクリップ・ファスナを含むことを特徴とする、請求項１に記載のキーパッド。
【請求項５】
各ボタンの前記剛性部材には、前記タッチセンシティブ・パネルの上方に及びこれを横切って投射される光線が伝達される穴が開けられていることを特徴とする、請求項１に記載のキーパッド。
【請求項６】
前記ボタンに従った前記タッチセンシティブ・パネルへのタッチ入力を処理するために、前記フレームの特徴を前記パネルに接続されたプロセッサに通信するためのＲＦＩＤチップをさらに含むことを特徴とする、請求項１に記載のキーパッド。
【請求項７】
前記フレームはシリコン・フレームであることを特徴とする、請求項１に記載のキーパッド。
【請求項８】
前記ボタンの各々は、点字表示を含むことを特徴とする、請求項１に記載のキーパッド。
【請求項９】
前記タッチセンシティブ・パネルにより検出されるような、延長部の特性に基づいて前記フレームを識別するための、前記フレームの下の固定した延長部をさらに含むことを特徴とする、請求項１に記載のキーパッド。
【請求項１０】
前記延長部の前記特徴は、前記延長部のサイズを含むことを特徴とする、請求項９に記載のキーパッド。
【請求項１１】
前記延長部は複数の突起部を含み、前記延長部の前記特徴は前記突起物の数を含むことを特徴とする、請求項９に記載のキーパッド。
【請求項１２】
ハウジングと、
前記ハウジングの外面に沿って露出されたタッチセンシティブ・パネルと、
前記ハウジングの前記外面上の前記タッチセンシティブ・パネルの周りに一時的に配置するための、前記タッチセンシティブ・パネルの上方にフレームにより懸架された複数のボタンを含むフレームと、
を含み、前記ボタンの各々は、
上方から前記ボタンに圧力が加えられたときに、前記フレームを通って前記タッチセンシティブ・パネルの上に降下される剛性部材と、
上方からの前記ボタンへの圧力が解放されたときに、前記剛性部材を上昇させるための、前記剛性部材及び前記フレームに取り付けられた弾性体と、
を含み、
前記ボタンに従って前記パネルへのタッチ入力を処理し、キーパッド入力を生成するための、前記タッチセンシティブ・パネルに接続された前記ハウジング内のプロセッサが設けられたことを特徴とする、キーパッド入力システム。
【請求項１３】
前記タッチセンシティブ・パネルは指のタッチに応答し、覆われていないとき、前記フレーム内の前記複数のボタンに外観が類似したキーパッド画像を表示し、前記プロセッサは、前記タッチセンシティブ・パネル上の指のタッチを処理してキーパッド入力を生成することを特徴とする、請求項１２に記載のキーパッド入力システム。
【請求項１４】
前記ハウジングの前記外面は、前記パネルの近くの少なくとも１つの磁気ウェルを含み、前記フレームは、前記フレームを前記パネルの上方に位置合わせするための、前記少なくとも１つの磁気ウェルに挿入するための少なくとも１つの磁気ボール・ファスナを含むことを特徴とする、請求項１２に記載のキーパッド入力システム。
【請求項１５】
前記タッチセンシティブ・パネルは、
前記タッチセンシティブ・パネルの上に且つこれを横切って光線を投射する複数の発光器と、
前記投射された光線を検出する複数の受光器と、
前記ボタンの１つの下降された剛性部材によるブロックに起因する、前記投射された光線の予測される１つ又は複数の欠如に基づいて、前記ボタンのどれが押されるかを判断するための、前記受光器に接続されたプロセッサと、
を含むことを特徴とする、請求項１２に記載のキーパッド入力システム。
【請求項１６】
前記ハウジング内のタッチスクリーン電子ディスプレイをさらに含むことを特徴とする、請求項１２に記載のキーパッド入力システム。
【請求項１７】
前記タッチスクリーン・パネルは電子ディスプレイであることを特徴とする、請求項１２に記載のキーパッド入力システム。
【請求項１８】
前記フレームはシリコン・フレームであることを特徴とする、請求項１２に記載のキーパッド入力システム。
【請求項１９】
キーパッド情報を含む、前記フレームに取り付けられたＲＦＩＤタグと、
前記フレームが前記タッチセンシティブ・パネルの周りに前記ハウジングの前記外面上に配置されたときに、前記キーパッド情報を読み取り、前記キーパッド情報を前記プロセッサに伝送するための、前記フレーム内にあり、且つ、前記プロセッサに接続されたＲＦＩＤリーダと、
をさらに含むことを特徴とする、請求項１２に記載のキーパッド入力システム。
【請求項２０】
前記タッチセンシティブ・パネルの上に交互に一時的に配置される複数の異なるフレームを含み、前記フレームの各々は、前記複数のフレームのうちのどれであるかを識別する取り付けられたＲＦＩＤタグを有することを特徴とする、請求項１９に記載のキーパッド入力システム。
【請求項２１】
前記複数の異なるフレームは、コピー機用のフレーム、スキャナ用のフレーム、及びファックス用のフレームを含むことを特徴とする、請求項２０に記載のキーパッド入力システム。
【請求項２２】
前記複数の異なるフレームの各々は、前記複数のフレームのうちのどれであるかを識別する点字ラベルを含むことを特徴とする、請求項２０に記載のキーパッド入力システム。
【発明の詳細な説明】
【技術分野】
【０００１】
本発明の分野は、ユーザ入力デバイスである。
（関連出願の相互参照）
本出願は、２０１１年９月４日に出願された、発明者Ｇｕｎｎａｒ  Ｆｒｏｊｄｈ、Ｒｉｃｈａｒｄ  Ｈｅｎｒｉｋｓｓｏｎ、Ｍｉｃｈａｅｌ  Ｅｌｙａｎ、Ｍａｇｎｕｓ  Ｇｏｅｒｔｚ、Ｔｈｏｍａｓ  Ｅｒｉｋｓｓｏｎ、Ｊｏｓｅｐｈ  Ｓｈａｉｎ、Ａｎｄｅｒｓ  Ｊａｎｓｓｏｎ、Ｎｉｋｌａｓ  Ｋｖｉｓｔ、Ｒｏｂｅｒｔ  Ｐｅｔｔｅｒｓｓｏｎ、Ｌａｒｓ  Ｓｐａｒｆ、及びＪｏｈｎ  Ｋａｒｌｓｓｏｎによる、「ＬＩＧＨＴ  ＡＣＵＡＴＯＲ  ＦＯＲ  ＭＯＶＡＢＬＥ  ＢＵＴＴＯＮＳ  ＯＮ  Ａ  ＫＥＹＰＡＤ」という名称の米国仮特許出願第６１／５３０，９８８号の優先権の利益を主張するものであり、その内容を引用により本明細書に組み入れる。
【背景技術】
【０００２】
今や多くの家庭用電子装置が、指タッチ又はスタイラス・タッチのユーザ入力と共に使用するために、タッチセンシティブ・スクリーンを有した状態で構築される。しかしながら、多くのユーザにとっては、物理的なボタンが望ましい。多くの個人には、スクリーン中の仮想ボタンをタップするよりも、物理ボタンを押し下げるユーザ経験の方がありがたい。触覚タッチ応答は、タッチスクリーン入力に対する１つの形のフィードバックを提供するが、それらはボタンを押し下げるのと同じではない。
【０００３】
視覚障害者は、物理ボタン上の隆起した点字表示を知覚できるが、タッチスクリーン上に表示される異なる仮想ボタンを容易に区別することはできない。
【０００４】
場合によっては、入力装置を環境から保護することが必要である。例えば、海、又は悪天候の屋外で使用されるユーザ入力装置は、濡れる恐れがある。入力装置に入った液体が、入力機構を妨げることがある。
【発明の概要】
【０００５】
本発明は、タッチセンシティブ表面を用いて、ボタン・キーパッド入力を可能にすることによって、物理入力キーパッド及びタッチスクリーンの両方の既知の欠点の多くに対処する。本発明が説明されると、単一の入力装置のコスト低減及び効率的な再利用といった付加的な利点が明らかになるであろう。
【０００６】
本発明の態様は、光ベースのタッチセンシティブ表面の上部に配置される取り外し可能キーパッド・シャーシを提供する。ユーザは、キーパッド・キーを押し下げることにより、データを入力する。押し下げられたキーは、シャーシの下のタッチセンシティブ表面によって検出される。計算ユニットが、タッチ表面上の押し下げられたキーの位置を判断し、対応するキーパッド・キーをマッピングする。計算ユニットは、押し下げられたキーに対応する入力をホスト・システムに送る。
【０００７】
キーパッド・シャーシが配置される光ベースのタッチセンシティブ表面は、キー・アイコンを表示する。ユーザは、アイコンにタッチして入力を行うことができ、又は、アイコン領域の上にシャーシを配置し、対応するキーパッド・キーを押し下げることにより、同じ入力を行うことができる。タッチセンシティブ表面は、タッチセンシティブ・ディスプレイを含むパネルの一区画であることが好ましい。タッチを検出し、パネル上のタッチ位置を判断するために、光学素子、すなわち発光器（ｅｍｉｔｔｅｒ）及び受光器（ｒｅｃｅｉｖｅｒ）がパネルの周りに配置される。キーパッド・シャーシは、シャーシからそれぞれのキャビティ内に延びる４つの脚部をパネル・ハウジングに挿入することにより、パネルの上の好ましい位置に取り付けられることが好ましい。これにより、キーパッド・ボタンが、タッチ表面上の対応する仮想ボタンと適切に位置合わせされることが保証される。
【０００８】
従って、本発明の一実施形態によると、タッチセンシティブ・パネルと共に使用するためのキーパッドが提供され、このキーパッドは、タッチセンシティブ・パネルを囲み、タッチセンシティブ・パネルの上方にフレームにより懸架された複数のボタンを含むフレームを含み、ボタンの各々は、上方から圧力が加えられたときにフレームを通って下降される剛性部材と、上方からの圧力が解放されたときに剛性部材を上昇させるための、剛性部材及びフレームに取り付けられた弾性体とを含み、剛性部材は、フレームの下方に露出される。
【０００９】
本発明の一実施形態によると、ハウジングと、ハウジングの外面に沿って露出されたタッチセンシティブ・パネルと、ハウジングの外面上のタッチセンシティブ・パネルの周りに一時的に配置するための、タッチセンシティブ・パネルの上方にフレームにより懸架された複数のボタンを含むフレームとを含み、ボタンの各々は、上方からボタンに圧力が加えられたときに、フレームを通ってタッチセンシティブ・パネルの上に降下される剛性部材と、上方からのボタンへの圧力が解放されたときに、剛性部材を上昇させるための、剛性部材及びフレームに取り付けられた弾性体とを含み、ボタンに従ってパネルへのタッチ入力を処理し、キーパッド入力を生成するための、タッチセンシティブ・パネルに接続されたハウジング内のプロセッサが設けられた、キーパッド入力システムが付加的に提供される。
【００１０】
本発明は、添付の図面と併せた以下の詳細な説明から完全に理解され、認識される。
【図面の簡単な説明】
【００１１】
【図１】本発明の一実施形態による、多機能周辺機器（ＭＦＰ）ハウジングなどのハウジング内に組み込むための、ディスプレイ部分、仮想キーパッド部分、及び取り外し可能キーパッドを特徴とするタッチパネルの簡略化された図である。
【図２】本発明の一実施形態による、タッチパネルの仮想キーパッド部分の上に位置する例示的な４ボタン式キーパッド・シャーシの３つの図の簡略化された図である。
【図３】本発明の一実施形態による、タッチパネルの仮想キーパッド部分の上に位置する例示的な４ボタン式キーパッド・シャーシの断面の簡略化された図である。
【図４】本発明の一実施形態による、解放され、押し下げられるばね弾性キーの簡略化された図である。
【図５】本発明の一実施形態による、ゴムなどの弾力性のある弾性材料で構成されるキーの断面の簡略化された図である。
【図６】本発明の一実施形態による、代替的なボタン構成の簡略化された図である。
【図７】本発明の一実施形態による、挿入されたキーパッドの構成と合致するようにタッチパッドを構成するための方法の簡略化されたフロー図である。
【図８】本発明の一実施形態による、埋め込まれたＲＦＩＤチップを有するキーパッド・シャーシの裏面の簡略化された図である。
【図９】本発明の一実施形態による、キーパッドを区別するために用いられる延長部を有する３つのキーパッド・シャーシの裏面の簡略化された図である。
【図１０】本発明の一実施形態による、シャーシをタッチパネル上の適所に固定するための磁気ボール・ファスナを有するキーパッド・シャーシの簡略化された図である。
【図１１】本発明の一実施形態による、シャーシをタッチパネル上の適所にスナップ留めするための可撓性フック・ファスナを有するキーパッド・シャーシの簡略化された図である。
【発明を実施するための形態】
【００１２】
本発明の態様は、光ベースのタッチパネルと共に使用するための取り外し可能キーパッドに関する。本発明の実施形態は、ユーザが、光ベースのタッチパネルの上に容易に挿入し、取り外することができるキーパッド・シャーシを提供する。
【００１３】
本発明の一実施形態による、多機能周辺機器（ＭＦＰ）ハウジングなどのハウジング内に組み込むための、ディスプレイ部分、仮想キーパッド部分、及び取り外し可能キーパッドを特徴とするタッチパネルの簡略化された図である、図１を参照する。ＭＦＰは、典型的には、単一の装置において、印刷、コピー及びスキャンを提供する。図１に示されるように、タッチパネル１は、ディスプレイ部分２と、タッチパッド部分３とを含む。ＭＦＰジョブは、パネルのタッチパッド部分へのユーザ入力を通じて構成される。パネルのディスプレイ部分は、ジョブ状態情報、並びにコピー枚数、給紙方法、及び片面又は両面印刷といった種々の選択肢を提示する。幾つかの機能は、パネルのディスプレイ部分上の図形要素とのユーザのタッチ相互作用により構成される。これらの要素は動的に生成され、異なるジョブ文脈に対して異なる組の選択肢を与える。例えば、最初の画面は、コピーするか、スキャンするか、又はファックスするかを選択するための３つのボタンを与える。ユーザが１つの選択肢を選択すると、コピー・ジョブにおけるコピー枚数、ファックス・ジョブについてのファックス番号、又はスキャンした文書を格納するためのファイル名及びフォルダの場所といった、選択されたジョブについての種々の選択肢が提示される。しかしながら、点字キーを有するボタンを押すことによって視覚障害者がＭＦＰを使用できるようにするために、タッチパッドにより、特定の固定機能が与えられる。本発明は、視覚障害者のユーザが容易に挿入し、使用し、取り外すことができる取り外し可能キーパッドを教示する。
【００１４】
図１は、ハウジング７内のタッチパネル１と、取り外し可能キーパッド１２とを示す。図の上部では、取り外し可能キーパッド１２がパネル１の上方にあり、図の下部では、取り外し可能キーパッド１２は、キーパッド締結ペグ４をパネルのハウジング・キャビティ５に挿入することにより、タッチパッド部分３の上でパネル１に取り付けられる。
【００１５】
本発明の一実施形態による、タッチパネルの仮想キーパッド部分の上に位置する例示的な４ボタン・キーパッド・シャーシの３つの図の簡略化された図である、図２を参照する。図２は、取り外し可能シャーシ１２におけるキー１０を示す。タッチパネル１４は、シャーシ１２の下に位置している。発光器及び受光器１６は、タッチパネル１４の一部として示される。発光器及び受光器１６は表面１４の下に配置されるが、タッチ検出光線２０を明確に示すために、図２では、スクリーンの上方に示される。
【００１６】
本発明の一実施形態による、タッチパネルの仮想キーパッド部分の上に位置する例示的な４ボタン・キーパッド・シャーシの断面Ａ−Ａの簡略化された図である、図３を参照する。図３は、取り外し可能シャーシ１２におけるキー１０を示す。タッチパネル１４は、シャーシ１２の下に位置している。発光及び受光レンズ２２が、タッチパネル１４の表面の上方に、タッチ検出光線２０と共に示される。
【００１７】
本発明の一実施形態による、解放され、押し下げられるばね弾性キーの簡略化された図である、図４を参照する。図４（ａ）は、取り外し可能シャーシ１２の一部分におけるキー１０を示す。タッチパネル１４は、シャーシ１２の下に位置している。発光及び受光レンズ２２が、タッチパネル１４の表面の上方に、タッチ検出光線２０と共に示される。
【００１８】
図４（ｂ）は、ボタン１０をシャーシ１２内で上向きに且つ光線２０の上方に保持するためのばね機構２４を示すボタン１０の切取図である。図４（ｃ）は、ユーザがボタン１０を押すことにより加えられる下向き圧力によって圧縮されたばね機構２４を示すボタン１０の切取図である。この場合、ボタン１０の底部を下降させて、光線２０をブロックする。ユーザがこの下向き圧力を解放すると、ばね２４は、ボタン１０を図４（ｂ）の位置に戻す。
【００１９】
本発明の一実施形態による、ゴムのような弾力性のある弾性材料で作成されたボタンの断面の簡略化された図である、図５を参照する。図５（ａ）は、シャーシ１２において上向きであり、且つ、タッチパネル１４の上にこれを横切って発光及び受光レンズ２２を通って投射される光線２０の上方にある、弾力性ボタン１０の切取図である。
【００２０】
図５（ｂ）は、ユーザがボタン１０を押すことにより加えられる下向き圧力によって押し下げられたボタン１０を示す切取図である。この場合、ボタン１０の底部を下降させて、光線２０をブロックする。ユーザがその下向き圧力を解放すると、ボタン１０は、その弾性及び弾力特性のために、図５（ａ）の位置に戻る。
【００２１】
本発明の一実施形態による、代替的なボタン構成の簡略化された図である、図６を参照する。図６のボタン１０は、光線２０の通過を可能にする、その主要部を通る２つの交差するキャビティ３０を有する。ボタン１０が押し下げられると、キャビティが下降して、主要部の中実部分が光線をブロックする。
【００２２】
図６（ａ）は、ボタンの３−Ｄ図である。図６（ｂ）はボタンの上面図であり、図６（ｃ）はボタンの側面図である。図６（ｄ）は、ボタンの線Ｍ−Ｍに沿った断面図である。図６のボタン１０は、図４のばね荷重式の実施形態、又は図５の弾性材料の実施形態を用いて、その上向き位置に保持される。
【００２３】
取り外し可能キーパッド・シャーシが、これを配置するタッチパッドと同じキーパッド・レイアウトを有するものとして上述された。他の実施形態によると、シャーシは、下にあるタッチパッドとは異なるキー及び／又は異なるレイアウトを有する。例えば、１つはコピー用、１つはファックス用、及び１つはスキャン用の３つの専用キーパッドが提供される。各々の専用キーパッドは、それぞれのタスクに関連するキーを有し、幾つかのキーパッドは、他のものより多くのキーを有する。例えば、ファックス用キーパッドは、電話番号のみを入力するための数値キーパッドを有し、スキャン用キーパッドは、ファイル名を入力するための完全なＱＷＥＲＴＹキーパッドを有する。さらに、各々の専用キーパッドに対して、ファックス用の「送信」、又はコピー機用の「コピー枚数」といった専用キーが提供される。
【００２４】
本発明の一実施形態によると、キーパッドは、ＲＦＩＤ技術を用いて識別される。各々の専用キーパッドは、キーパッドがＭＦＰパネルに挿入されたときにＭＦＰによって読み取られるＲＦＩＤ又は類似のデジタル・コードを有する。ＭＦＰは、キーパッドのレイアウトに従ってキーパッドにより生成されるタッチ入力を解釈するように、それ自体を構成する。ＭＦＰはまた、キーパッドがＭＦＰパネルに挿入されたときにＭＦＰによって読み取られるＲＦＩＤ又は類似のデジタル・コードに基づいて、コピー、ファックス、又はスキャンの適切なモードに入る。各々の専用キーパッドは、視覚障害者のユーザが所望のキーパッドを選択するのを容易にするための点字ラベルを有する。
【００２５】
本発明の一実施形態による、タッチパッドを、挿入されたキーパッドの構成と合致するように構成するための方法の簡略化されたフロー図である、図７を参照する。タッチパネルの近くのＭＦＰハウジングの内部に位置するセンサとのＲＦＩＤの近接性が原因で、キーパッドがＭＦＰタッチパッドの上方に挿入されると、キーパッド上のＲＦＩＤタグがＭＦＰにより検出される。その結果、ＭＦＰは適切なモード（印刷、ファックス、スキャン）に入り、検出されたキーパッドのレイアウト及び機能に従って、タッチパネル表面をマッピングする。
【００２６】
本発明の一実施形態による、埋め込まれたＲＦＩＤチップ３２を有するキーパッド・シャーシ１２の裏面の簡略化された図である、図８を参照する。
【００２７】
シャーシ１２は、プリンタのパネル・ハウジングの固定用キャビティ内に延びる脚部４を有した状態で示される。他の実施形態によれば、シャーシは、シャーシの裏面上に、パネル・ハウジングの周りのそれぞれの浅い磁気ウェルに磁気式に締結される２−４個の浅い磁気ドームを有する。これにより、パネル・ハウジング内に目立つ穴を開けることなく、容易にしっかりと締結することが可能になり、シャーシが薄型の形状になる。
【００２８】
本発明の他の実施形態によると、各々のキーパッドは、タッチパネルとの固有の接触パターンによって識別される。本発明の一実施形態による、キーパッドを区別するために用いられる延長部を有する３つのキーパッド・シャーシ１２の裏面の簡略化された図である、図９を参照する。各々のシャーシ１２は、上述した４つの脚部４に加えて、パネルの１つのコーナー部に固有の延長部を有する。図９は、（ａ）幅広い円筒形延長部２１、（ｂ）狭い円筒形延長部２２、及び（ｃ）突起部２３の一対の狭い円筒形延長部を示す。タッチセンシティブ表面は、タッチの接触面積を検出し、それにより、（ａ）におけるような広い接触面積と（ｂ）におけるような狭い接触面積とを区別し、且つ、タッチ物体がもたらすブロックされた光線のパターンに基づいて、（ｃ）におけるような空間により隔てられた２つのタッチを検出するように作動可能である。延長部２１、２２及び２３は、押し下げられたキーパッド・ボタンを検出するのに用いられる光線をブロックしないシャーシ１２上の位置に配置されることが好ましい。従って、これらの延長部は、図９においては、シャーシ１２の奥のコーナー部に示される。
【００２９】
本発明の一実施形態による、シャーシをタッチパネル上の適所に固定するための磁気ボール・ファスナを有するキーパッド・シャーシの簡略化された図である、図１０を参照する。図１０に示されるように、キーパッド・シャーシ１２の裏面上の磁気ドーム３５が、パネル・ハウジング７内の磁気ウェル３４に嵌合する。
【００３０】
本発明により教示される取り外し可能キーパッドはまた、ＩＰＡＤ（登録商標）のようなタブレット型コンピュータ、及びタッチスクリーン電話と共に使用可能である。これらの場合、コンピュータ又は電話上で実行されるアプリケーションは、装置のタッチスクリーンの底部にキーパッドを提示し、入力されたテキストが、スクリーンの上部に表示される。キーパッド・シャーシは、ターゲット装置の寸法に応じて構成される。１つの実施形態において、シャーシは、装置の縁部に適合するシャーシの２つ又は３つの縁部上の半剛性のフックにより装置に取り付けられる。フックはこれらの縁部の周りにしっかりと嵌まるので、シャーシを装置の上に摺動させることができる。代替的に、フックの半剛性材料により、シャーシが装置の前部に押し付けられたときにフックが装置の周りに弾力的に曲がるので、ユーザがシャーシを装置の上にスナップ留めすることが可能になる。
【００３１】
本発明の一実施形態による、シャーシをタッチパネル上の適所にスナップ留めするための可撓性フック・ファスナを有するキーパッド・シャーシの簡略化された図である、図１１を参照する。図１１に示されるように、可撓性半剛性フック３８は、タブレット又は他の装置のハウジングを把持するように、キーパッド・シャーシ１２の２つの側から延びる。
【００３２】
上記の明細書において、本発明は、その特定の例示的な実施形態を参照して説明された。しかしながら、添付の特許請求の範囲において示される、本発明のより広範な趣旨及び範囲から逸脱することなく、特定の例示的な実施形態に対して種々の修正及び変更をなし得ることが明らかであろう。従って、本明細書及び図面は、限定的な意味ではなく、例証であると考えるべきである。
【符号の説明】
【００３３】
１：タッチパネル
２：ディスプレイ部分
３：タッチパッド部分
４：脚部
５：ハウジング・キャビティ
７：ハウジング
１０：キー（ボタン）
１２：取り外し可能キーパッド（シャーシ）
１４：タッチパネル
１６：発光器及び受光器
２０：タッチ検出光線
２１、２２、２３：延長部
２２：発光及び受光レンズ
２４：ばね機構
３０：キャビティ
３２：ＲＦＩＤチップ
３４：磁気ウェル
３５：磁気ドーム
３８：フック
【図１】
2014528119.tif 000003
【図２】
2014528119.tif 000004
【図３】
2014528119.tif 000005
【図４（ａ）】
2014528119.tif 000006
【図４（ｂ）】
2014528119.tif 000007
【図４（ｃ）】
2014528119.tif 000008
【図５（ａ）】
2014528119.tif 000009
【図５（ｂ）】
2014528119.tif 000010
【図６】
2014528119.tif 000011
【図７】
2014528119.tif 000012
【図８】
2014528119.tif 000013
【図９（ａ）】
2014528119.tif 000014
【図９（ｂ）】
2014528119.tif 000015
【図９（ｃ）】
2014528119.tif 000016
【図１０】
2014528119.tif 000017
【図１１】
2014528119.tif 000018
【国際調査報告】
2014528119.tif 000019